(57)【要約】【課題】チェーンソーのスプロケットカバーにスパイクバンパを簡単に取り付けることができるようにする。【解決手段】チェーンソー１０は、原動機１２を内蔵したハウジング１１の側部にスプロケット１３とガイドバー１４の基端部を覆うスプロケットカバー１６と、スプロケットカバー１６の外周面に取り付けたスパイクバンパ２０とを備え、スパイクバンパ２０はスプロケットカバー１６の外周面に固定されて前端部に前方に突出する複数の爪部２１ａを有した板状スパイク２１と、板状スパイク２１からスプロケットカバー１６の前側開口１６ａを通して内側に延出して、スプロケットカバー１６を板状スパイク２１とともに狭む狭持部２２とを有した。【選択図】図４
2016007705.tif 000002
【特許請求の範囲】
【請求項１】
原動機を内蔵したハウジングと、
前記ハウジングの側部に回転可能に設けられて、前記原動機により回転駆動されるスプロケットと、
前記ハウジングの側部にて前方に突出して設けたガイドバーと、
前記スプロケットと前記ガイドバーの外周との間に張設されたソーチェーンと、
前記ハウジングの側部にて前記スプロケットと前記ガイドバーの基端部を覆い、前側開口から前記ガイドバーを前方に突出させたスプロケットカバーと、
前記スプロケットカバーの外周面に取り付けたスパイクバンパとを備えたチェーンソーであって、
前記スパイクバンパは前記スプロケットカバーの外周面に固定されて前端部に前方に突出する複数の爪部を有した板状スパイクと、前記板状スパイクから前記スプロケットカバーの前側開口を通して内側に延出して、前記スプロケットカバーを前記板状スパイクとともに狭む狭持部とを有したことを特徴とするチェーンソー。
【請求項２】
請求項１に記載のチェーンソーにおいて、
前記スパイクバンパを前記スプロケットカバーに設けた雌ねじ部にボルトによって固定したことを特徴とするチェーンソー。
【請求項３】
請求項２に記載のチェーンソーにおいて、
前記雌ねじ部にはナットを用い、
前記狭持部を前記ナットと対向する位置に延出させたことを特徴とするチェーンソー。
【請求項４】
請求項２または３に記載のチェーンソーにおいて、
前記狭持部を前記雌ねじ部の開口部と対向する位置に延出させたことを特徴とするチェーンソー。
【請求項５】
請求項１〜４の何れか１項に記載のチェーンソーにおいて、
前記狭持部を前記板状スパイクから切り起こしによって形成したことを特徴とするチェーンソー。
【発明の詳細な説明】
【技術分野】
【０００１】
本発明は、チェーンソーに関し、スプロケットカバーにスパイクバンパを取り付けたチェーンソーに関する。
【背景技術】
【０００２】
特許文献１には、原動機を内蔵したハウジングと、ハウジングの側部に回転可能に設けたスプロケットと、ハウジングの右側部にて前方に突出して設けたガイドバーと、スプロケットとガイドバーの外周との間に張設されたソーチェーンと、スプロケットとガイドバーの基端部とを覆うスプロケットカバーと、スプロケットカバーの外周面に取り付けたスパイクバンパとを備えたチェーンソーが開示されている。このチェーンソーでは、原動機の駆動によって回転駆動されるスプロケットにより、ソーチェーンがスプロケットとガイドバーの外周との間を回転し、回転するソーチェーンを丸太等の木材に押しつけて、木材を切断するようにしている。
【０００３】
特許文献１のチェーンソーにおいては、ハウジングの右側部には右横方向に突出する２つのスタッドボルトが設けられており、これらスタッドボルトにガイドバーの基端部の取付孔とスプロケットカバーの取付孔とスパイクバンパの取付孔とを挿通し、スプロケットカバーの外側からスタットボルトの先端部にナットを締結することにより、ハウジングに対してガイドバーとスプロケットカバーとスパイクバンパとを固定している。
【先行技術文献】
【特許文献】
【０００４】
【特許文献１】特開２０１０−１４９４６２号公報
【発明の概要】
【発明が解決しようとする課題】
【０００５】
特許文献１のチェーンソーにおいては、丸太のような太い木材を切断するときに、ハウジングの前部に設けたスパイクバンパを用いるが、木の枝払い作業をするときには、スパイクバンパを用いる必要がない。枝払い作業時に、スパイクバンパが前方に突出していると、スパイクバンパが枝に引っ掛かり作業性が悪くなっていた。このため、枝払い作業をしないときには、スパイクバンパをハウジングの前部から取り外して、作業性を向上させていた。
【０００６】
特許文献１のチェーンソーでは、スパイクバンパを着脱するためには、スパイクバンパとともにガイドバーとスプロケットカバーとを取り付けているスタッドボルトの先端部からナットを着脱しなければならない。しかし、ガイドバーの外周をソーチェーンが回転するため、ガイドバーをハウジングに対して強く固定しておく必要があり、ガイドバーも含めて固定しているナットを頻繁に着脱するのは好ましくなかった。また、スタッドボルトにはソーチェーンが回転するときにガイドバーから振動が伝達されるため、スタッドボルトに締結したナットが振動によって緩むおそれがあり、スタッドボルトにナットを強く締結しておく必要がある。このため、スパイクバンパを頻繁に着脱する場合には、スタッドボルトにナットを強く締め付けるまたは強く締め付けたナットを緩める作業が面倒となっていた。
【０００７】
これに対応するため、上記のスタッドボルトと異なるボルトを用いてスパイクバンパをスプロケットカバーに固定すれば、スパイクバンパを着脱するときに特に強くボルトを固定する必要がない。しかし、スパイクバンパを持ちながらボルトを締め付ける作業が面倒であり、スパイクバンパを簡単に取り付けるようにできることが望まれていた。本発明は、スプロケットカバーにスパイクバンパを簡単に取り付けることができるようにすることを目的とする。
【課題を解決するための手段】
【０００８】
上記課題を解決するために、本発明は、原動機を内蔵したハウジングと、ハウジングの側部に回転可能に設けられて、原動機により回転駆動されるスプロケットと、ハウジングの側部にて前方に突出して設けたガイドバーと、スプロケットとガイドバーの外周との間に張設されたソーチェーンと、ハウジングの側部にてスプロケットとガイドバーの基端部を覆い、前側開口からガイドバーを前方に突出させたスプロケットカバーと、スプロケットカバーの外周面に取り付けたスパイクバンパとを備えたチェーンソーであって、スパイクバンパはスプロケットカバーの外周面に固定されて前端部に前方に突出する複数の爪部を有した板状スパイクと、板状スパイクからスプロケットカバーの前側開口を通して内側に延出して、スプロケットカバーを板状スパイクとともに狭む狭持部とを有したことを特徴とするチェーンソーを提供するものである。
【０００９】
上記のように構成したチェーンソーにおいては、スパイクバンパはスプロケットカバーの外周面に固定されて前端部に前方に突出する複数の爪部を有した板状スパイクと、板状スパイクからスプロケットカバーの前側開口を通して内側に延出して、スプロケットカバーを板状スパイクとともに狭む狭持部とを有したので、スパイクバンパをスプロケットカバーに固定する作業をするときに、板状スパイクと狭持部とでスプロケットカバーを挟むことにより、スプロケットカバーにスパイクバンパを保持させることができるようになる。これにより、スパイクバンパを手で持つことなく、スプロケットカバーにスパイクバンパを固定する作業をできるようになり、スパイクバンパの取り付け作業の作業性が向上した。
【００１０】
上記のように構成したチェーンソーにおいては、スパイクバンパをスプロケットカバーに設けた雌ねじ部にボルトによって固定したときには、スパイクバンパを手で持つことなく、ボルトの締結作業をすることができる。
【００１１】
上記のように構成したチェーンソーにおいては、雌ねじ部にはナットを用い、狭持部をナットと対向する位置に延出させるのが好ましく、このようにしたときには、狭持部によってナットがスパイクバンパから脱落しないようになり、ボルトの締結作業の作業性が向上した。
【００１２】
上記のように構成したチェーンソーにおいては、狭持部を雌ねじ部の開口部と対向する位置に延出させるのが好ましく、このようにしたときには、誤って長いボルトを雌ねじ部に締結させても、狭持部によって長いボルトの進入を阻止することができ、適切な長さのボルトを使用させることができた。
【００１３】
上記のように構成したチェーンソーにおいては、狭持部を板状スパイクから切り起こしによって形成するのが好ましく、このようにしたときには、スパイクバンパが狭持部を備えるようにしてもコストアップとなりにくくなった。
【図面の簡単な説明】
【００１４】
【図１】本発明のチェーンソーの概略図である。
【図２】本発明のチェーンソーを斜め前方から見た斜視図である。
【図３】スプロケットカバーと第２スパイクバンパの側面図（ａ）、Ａ−Ａ断面図（ｂ）、Ｂ−Ｂ断面図（ｃ）である。
【図４】スプロケットカバーから第２スパイクバンパを分解した斜視図（ａ）であり、第２スパイクバンパをスプロケットカバーに組み付けた状態の斜視図（ｂ）である。
【図５】他の実施形態の第２スパイクバンパを示す斜視図である。
【発明を実施するための最良の形態】
【００１５】
以下、本発明のチェーンソーの一実施形態を添付図面を参照して説明する。図１に示したように、チェーンソー１０は、電動モータまたはエンジン等の原動機１２を内蔵したハウジング１１を備えている。ハウジング１１の右側部（側部）にはスプロケット１３が回転可能に設けられており、このスプロケット１３は原動機１２の駆動によって回転駆動される。ハウジング１１の右側部にはガイドバー１４の基端部が固定されており、このガイドバー１４はハウジング１１の前方に突出している。スプロケット１３とガイドバー１４の外周との間にはソーチェーン１５が張設されており、ソーチェーン１５はスプロケット１３の回転駆動によってスプロケット１３とガイドバー１４の外周との間を回転する。
【００１６】
ハウジング１１の右側部にはスプロケット１３とガイドバー１４の基端部とを覆うスプロケットカバー１６が設けられている。スプロケットカバー１６はボルト及びナットによってガイドバー１４とともにハウジング１１の右側部に着脱可能に取り付けられている。図２に示したように、スプロケットカバー１６には前側が開口した前側開口１６ａが形成されており、この前側開口１６ａからガイドバー１４が突出している。図３に示したように、スプロケットカバー１６の前部には上下に２つのボルト２３を挿通する挿通孔１６ｂが形成されている。このスプロケットカバー１６の挿通孔１６ｂは後述する第２スパイクバンパ２０を固定するのに用いるボルト２３を挿通するためのものであり、スプロケットカバー１６の内周面には挿通孔１６ｂの周囲にボルト２３に螺着させるナット（雌ねじ部）２４を収容する凹部１６ｃが形成されている。なお、凹部１６ｃの内周形状は収容したナット２４がボルト２３ともに回転しないようにナット２４と同じく六角形となっている。
【００１７】
図１及び図２に示したように、ハウジング１１の前部にはガイドバー１４の左側に第１スパイクバンパ１７が取り付けられており、スプロケットカバー１６の外周面前部には第２スパイクバンパ２０が着脱可能に取り付けられている。第１スパイクバンパ１７は板状をしており、前端部に前方に突出する複数の爪部１７ａを有している。
【００１８】
図３及び図４に示したように、第２スパイクバンパ２０は前端部に前方に突出する複数の爪部２１ａを有した板状スパイク２１と、板状スパイク２１からスプロケットカバー１６の前側開口１６ａを通して内側に延出して、スプロケットカバー１６を板状スパイク２１とともに挟む狭持リテーナ（狭持部）２２とを有している。板状スパイク２１の後端部には上部及び上下方向の中間部からスプロケットカバー１６の外周面前部に沿って後方に延びる取付板部２１ｂが形成されており、取付板部２１ｂには固定用のボルト２３を挿通する挿通孔２１ｃが形成されている。第２スパイクバンパ２０は板状スパイク２１の取付板部２１ｂをスプロケットカバー１６の外周面前部に当接させた状態で、取付板部２１ｂの挿通孔２１ｃとスプロケットカバー１６の挿通孔１６ｂとに挿通したボルト２３にナット２４を締結することによってスプロケットカバー１６に固定されている。
【００１９】
図３及び図４に示したように、狭持リテーナ２２は板状スパイク２１のスプロケットカバー１６より前側位置に固定された固定板部２２ａと、固定板部２２ａからスプロケットカバー１６の前側開口１６ａを通して内側に延出する上下一対のアーム部２２ｂとを有している。狭持リテーナ２２のアーム部２２ｂと板状スパイク２１との間隔はこれらの間の部分のスプロケットカバー１６の幅よりも少し狭くなっている。第２スパイクバンパ２０をスプロケットカバー１６に取り付けた状態では、狭持リテーナ２２のアーム部２２ｂは板状スパイク２１から離間する方向に弾性変形して、アーム部２２ｂはスプロケットカバー１６を板状スパイク２１側に押しつけるように付勢している。また、狭持リテーナ２２のアーム部２２ｂはスプロケットカバー１６の内周面に形成した凹部１６ｃに収容したナット２４と対向する位置まで延出している。さらに、アーム部２２ｂの先端部は凹部１６ｃに収容したナット２４の中央の開口部とも対向する位置となっている。
【００２０】
上記のように構成したチェーンソー１０においては、原動機１２を駆動させるとスプロケット１３が回転駆動され、ソーチェーン１５がスプロケット１３とガイドバー１４の外周との間を回転する。この状態で、第１及び第２スパイクバンパ１７，２０を丸太等の木材に引っ掛け、スパイクバンパ１７，２０を支点として、ガイドバー１４の外周を回転するソーチェーン１５を木材に押しつけることにより、木材は回転するソーチェーン１５によって切断される。
【００２１】
上記のように構成したチェーンソー１０においては、第２スパイクバンパ２０はスプロケットカバー１６の外周面に固定されて前端部に前方に突出する複数の爪部２１ａを有した板状スパイク２１と、板状スパイク２１からスプロケットカバー１６の前側開口１６ａを通して内側に延出して、スプロケットカバー１６を板状スパイク２１とともに狭む狭持リテーナ２２とを有している。第２スパイクバンパ２０をスプロケットカバー１６に固定する作業をするときには、スプロケットカバー１６の凹部１６ｃにナット２４を収容し、板状スパイク２１と狭持リテーナ２２のアーム部２２ｂとでスプロケットカバー１６を挟むことで、スプロケットカバー１６に第２スパイクバンパ２０を保持させる。このような状態で、ボルト２３を板状スパイク２１の挿通孔２１ｃとスプロケットカバー１６の挿通孔１６ｂとに挿通し、スプロケットカバー１６の凹部１６ｃに収容したナット２４に螺着して、第２スパイクバンパ２０をスプロケットカバー１６に固定する。このように、第２スパイクバンパ２０をスプロケットカバー１６に固定する作業をするときに、第２スパイクバンパ２０をスプロケットカバー１６に保持させているので、第２スパイクバンパ２０を手で持つことなく、スプロケットカバー１６に第２スパイクバンパ２０をボルト２３によって固定する作業をできるようになり、第２スパイクバンパ２０の取り付け作業の作業性が向上した。
【００２２】
また、第２スパイクバンパ２０をスプロケットカバー１６に保持させたときには、狭持リテーナ２２のアーム部２２ｂの先端部はスプロケットカバー１６の凹部１６ｃに収容されたナット２４と対向する位置に延出している。これにより、ナット２４を手で支えなくても、ナット２４が凹部１６ｃから離脱しないようになり、第２スパイクバンパ２０の取付作業の作業性が向上した。
【００２３】
また、狭持リテーナ２２のアーム部２２ｂの先端部はスプロケットカバー１６の凹部１６ｃに収容されたナット２４の開口部と対向する位置に延出している。このようにしたことで、誤って長いボルトを用いても、ボルトの先端が狭持リテーナ２２のアーム部２２ｂに当接することにより、長いボルトの進入が阻止されることになる。これにより、第２スパイクバンパ２０を取り付けるボルト２３を適切な長さのものに限定することができ、誤って使用した長いボルトがガイドバー１４に達するのを防ぐことができた。
【００２４】
なお、本実施形態では、スプロケットカバー１６の内周面に設けた凹部１６ｃにナット２４を着脱自在に収容することで、スプロケットカバー１６の雌ねじ部としたが、本発明はこれに限られるものでなく、スプロケットカバー１６の凹部１６ｃにナット２４を埋設したものであってもよく、また、スプロケットカバー１６のボルトの挿通孔１６ｂの内周面に雌ねじを形成することで雌ねじ部としたものであってもよい。
【００２５】
上記のように構成したチェーンソーにおいては、第２スパイクバンパ２０は、板状スパイク２１と、板状スパイク２１に固定した狭持リテーナ２２とからなるが、本発明はこれに限られるものでなく、図５に示したように、第２スパイクバンパ２０Ａは板状スパイク２１と、板状スパイク２１の取付板部２１ｂから切り起こしによって一体的に形成した狭持アーム（狭持部）２２Ａとからなり、板状スパイク２１と狭持アーム２２Ａとでスプロケットカバー１６を挟むことで、スプロケットカバー１６にスパイクバンパ２０Ａを保持させるようにしてもよく、このようにしたときにも上述したのと同様の作用効果を得ることができる。
【００２６】
上記のように構成したチェーンソーにおいては、ハウジング１１の右側面前部に第１スパイクバンパ１７を設け、スプロケットカバー１６に第２スパイクバンパ２０を着脱自在に固定したが、本発明はこれに限られるものでなく、第１スパイクバンパ１７を廃したチェーンソーであってもよく、このようにしたときにも上述したのと同様の作用効果を得ることができる。
【符号の説明】
【００２７】
１０…チェーンソー、１１…ハウジング、１２…原動機、１３…スプロケット、１４…ガイドバー、１５…ソーチェーン、１６…スプロケットカバー、２０…スパイクバンパ（第２スパイクバンパ）、２１…板状スパイク、２２…狭持部（狭持リテーナ）、２２Ａ…狭持部（狭持アーム）。
【図１】
2016007705.tif 000003
【図２】
2016007705.tif 000004
【図３】
2016007705.tif 000005
【図４】
2016007705.tif 000006
【図５】
2016007705.tif 000007